(57)【要約】      （修正有）【課題】シート状物から短冊状シートを切り出すに際し、巻芯ロールへの貼り付け等の余分な作業を必要とせず、長い短冊状シートであっても皺や傷が入ることなくきれいに巻き取れ、特別な駆動装置も必要とせず、しかも安全性にも優れた短冊状シートの採取装置を提供する。【解決手段】支持板１２と、切断方向Ｃと平行となるように前記支持板に取り付けられた２枚の切断刃１１ａ、１１ｂと、少なくとも一方の底部が開口１５となっている円筒状の巻取部１４と、を有し、前記巻取部は、前記２枚の切断刃で切断され前記切断方向とは反対の方向Ｄへ送られる短冊状シートが、この巻取部の開口を通って巻取部の内部に入るように前記支持板に取り付けられており、前記切断方向と前記巻取部の中心軸１７とのなす角度（鋭角）が３０度以上７０度以下である。【選択図】図２
2013027950.tif 000002
【特許請求の範囲】
【請求項１】
シート状物から短冊状にシートを切り出し、この切り出した短冊状シートを連続して巻き取り採取する装置であって、
支持板と、
切断方向が平行となるように前記支持板に取り付けられた２枚の切断刃と、
少なくとも一方の底部が開口となっている円筒状の巻取部と、を有し、
前記巻取部は、前記２枚の切断刃で切断され前記切断方向とは反対の方向へ送られる短冊状シートが、この巻取部の開口を通って巻取部の内部に入るように前記支持板に取り付けられており、
前記切断方向と、前記巻取部の中心軸とのなす角度（鋭角）が３０度以上７０度以下である、短冊状シートの採取装置。
【請求項２】
前記巻取部が、中心軸を中心として回転自在に支持板にとりつけられた、請求項１の短冊状シートの採取装置。
【発明の詳細な説明】
【技術分野】
【０００１】
本発明は、プラスチックフィルム、紙、発泡シート、布材、不織布などの広いシート状物から細長い短冊状にシートを採取する装置に関する。
【背景技術】
【０００２】
プラスチックフィルム、紙、発泡シート、布材、不織布などのシート状物の厚みを管理するために、シート状物から細長い短冊状のシートを切り出し、この短冊状シートの厚みをマイクロメータで測定することがある。この短冊状シートは、カッター等の刃物を用いて人手によりシート状物から切り出している。あるいは、カッター等を装着した装置を使用してシート状物から切り出している。この装置を使用する方法では、短冊状シートをロールに巻き付けながら切り出している。
【発明の概要】
【発明が解決しようとする課題】
【０００３】
しかしながら、人手により短冊状シートを切り出す方法では作業に時間がかかり、特に長い短冊状シートを切り出す場合には、途中で短冊状シートが折れ曲がって皺や傷が入り、正確な厚みが測定できないことがある。また、刃物を手に持って作業をするため、怪我をする危険もある。特に厚みの厚いシート状物では、短冊状シートを切り出すために力を入れる必要があり、さらに危険となる。
【０００４】
カッター等を装着した装置を使用する方法では、短冊状シートをロールの巻芯に貼り付ける作業が必要となり手間がかかる。また、短冊状シートを巻き取るためロールを駆動する必要や、短冊状シートを切り出す速度に応じてロールの速度を調整する必要があり、大がかりな装置になってしまう。
【０００５】
本願発明の目的は、シート状物から短冊状シートを切り出すに際し、巻芯ロールへの貼り付け作業等の余分な作業を必要とせず、長い短冊状シートであっても皺や傷が入ることなくきれいに巻き取りながら切り出すことができ、特別な駆動装置も必要とせず簡便に切り出すことができ、しかも安全性にも優れた短冊状シートの採取装置を提供することである。
【課題を解決するための手段】
【０００６】
上記課題を解決する本発明の短冊状シートの採取装置は、シート状物から短冊状にシートを切り出し、この切り出した短冊状シートを連続して巻取り採取する装置であって、
支持板と、
切断方向が平行となるように前記支持板に取り付けられた２枚の切断刃と、
少なくとも一方の底部が開口となっている円筒状の巻取部と、を有し、
前記巻取部は、前記２枚の切断刃で切断され前記切断方向とは反対の方向へ送られる短冊状シートが、この巻取部の開口を通って巻取部の内部に入るように前記支持板に取り付けられており、
前記切断方向と、前記巻取部の中心軸とのなす角度（鋭角）が３０度以上７０度以下である。
【発明の効果】
【０００７】
本願発明によれば、シート状物から短冊状シートを切り出すに際し、作業効率がよく切り出せ、長い短冊状シートであっても皺や傷が入ることなくきれいに巻き取りながら切り出すことができ、特別な駆動装置も必要とせず簡便に切り出すことができる。
【図面の簡単な説明】
【０００８】
【図１】本発明の短冊状シートの採取装置の一形態の概略側面図である。
【図２】図１に示す短冊状シートの採取装置をＩ−Ｉ’線で切断し、それをＡ方向から見た矢視図である。
【発明を実施するための形態】
【０００９】
以下図面に基づいて、本発明の短冊状シートの採取装置について説明する。ただし、本発明の短冊状シートの採取装置は、図面に示した形態に限られるものではない。
【００１０】
図１は本発明の短冊状シートの採取装置の一形態の概略側面図である。図２は、図１の短冊状シートの採取装置をＩ−Ｉ’線で切断し、それをＡ方向から見た矢視図である。
【００１１】
短冊状シートの採取装置１は、シート状物から短冊状にシートを切断するための２枚の切断刃１１ａ，１１ｂと、切断された短冊状シートを搬送するための支持板１２と、搬送されてきた短冊状シートを巻き取るための円筒状の巻取部１４とで少なくとも構成されている。この短冊状シートの採取装置１で短冊状シートを切り出すには、まずシート状物の端に、装置１の切断刃１１ａ，１１ｂの切断面を当てる。そして、そのまま装置１全体を切断方向Ｃに動かしながら、切断刃１１ａ，１１ｂによりシート状物から短冊状にシートを切断する。そして切断された短冊状シートは、装置１全体が切断方向Ｃに動くのに応じて、支持板１２の上を搬送方向Ｄに進んでいく。そして、短冊状シートは、巻取部１４の開口１５から巻取部１４の中に入り、巻取部１４の内壁面１６に沿って湾曲しながら巻き取られていく。
【００１２】
２枚の切断刃１１ａ，１１ｂは、それぞれの切断方向が平行となるように支持板１４に取り付けられている。切断刃１１ａ，１１ｂは任意の方法で支持板１２に取り付ければよい。また、切断刃１１ａ，１１ｂの種類は特に限定されず、通常のカッターや丸刃カッターなど、切断するシート状物に応じて任意のものを選べばよい。また、切断刃の取り付け角度もシート状物が切断し易いように任意の角度に調整すればよい。
【００１３】
切断刃１１ａと１１ｂの間隔Ｗが短冊状シートの幅になる。この間隔Ｗを狭くし過ぎると短冊状シートの剛性が小さくなり過ぎるため、巻取部１４内で巻き取られる際に短冊状シートが折れ曲がる場合がある。また、後述するように巻取部１４が回転できるようになっていても、短冊状シートが巻取部１４に回転方向の力を伝えることが出来ない場合がある。逆に間隔Ｗを広くし過ぎると短冊状シート自体の自重にシートの剛性が耐えられなくなり、短冊の形状を保持することが出来ず、巻取部１４内で巻き取られる際に短冊状シートが折れ曲がる場合がある。そのため、切断刃の間隔Ｗは切断するシートに応じて、短冊状シートとしての剛性があり、また、短冊の形状を保持することができる幅にする必要がある。
【００１４】
切断刃１１ａ，１１ｂで切断された短冊状シートは、支持板１２の上を切断方向Ｃとは正反対の搬送方向Ｄへ進んでいく。この短冊状シートが進んでいく方向に円筒状の巻取部１４が支持板１２に取り付けられている。
【００１５】
巻取部１４は少なくとも一方の底部が開口１５となっている。そして、巻取部１４は、この開口１４Ａから短冊状シートが入ってこられるような位置や角度で支持板１２に取り付けられている。具体的には、巻取部１４は、その円筒の中心軸１７と切断方向Ｂとのなす角度θ（鋭角）が３０度以上７０度以下となるように取り付けられている。角度θが３０度以上であると、開口１５から巻取部１４の中に入った短冊状シートが、巻取部１４の中をそのまま進み、少なくとも一部分が巻取部１４の内壁面１６にあたる。内壁面１６は緩やかな曲面になっているので、内壁面１６にあたった短冊状シートは内壁面１６に沿って湾曲し、そのまま内壁面１６に沿って進んでいく。このようにして、連続して巻取部１４の中に入ってくる短冊状シートが内壁面１６に沿って自然に円くなりながら進み、巻き取られていく。角度θが３０度未満であると、短冊状シートの大部分は内壁面１６ではなく巻取部１４の円筒の底面にあたるので、内壁面１６に沿って緩やかに湾曲できなくなる。その結果、短冊状シートを自然に円く巻き取ることができなくなる。一方、角度が７０度より大きくなると、短冊状シートの一部が巻取部からはみ出してしまい、うまく巻き取ることができなくなる。角度θの下限は４５度以上が好ましく、上限は６５度以下が好ましい。
【００１６】
巻取部１４の円筒の内径の大きさは特に限定されないが、内径が小さ過ぎると短冊状シートが湾曲しづらくなるので、シート状物の材質や剛性によっては短冊状シートがうまく巻き取れない場合がある。一方、内径が大きくなると、短冊状シートは巻き取り易くなるが、装置全体が大きくなり取り扱いにくくなる。したがって、内径の大きさは、対象となるシート状物の材質や剛性、装置の取り扱い性などを考慮して適宜決めればよい。
【００１７】
また、巻取部１４の円筒の内側の高さは、短冊状シートを収める必要があるので少なくとも短冊状シートの幅、つまり切断刃１１ａと１１ｂの間隔Ｗ以上の長さが必要である。また、高さの上限は特に限定されないが、高さが長すぎると装置全体が大きくなるので、装置の取り扱いにくくなる。したがって、内側の高さは、切り出そうとする短冊状シートの幅や装置の取り扱い性などを考慮して適宜決めればよい。
【００１８】
巻取部１４は、巻取部１４内で巻き取られている短冊状シートが飛び出さないように、開口１５側とは反対側の底面が完全に塞がっていることが好ましい。ただし、内壁面１６の縁を折り曲げておく等をして短冊状シートが飛び出さないようにしてあれば、底面を完全に塞がなくてもよい。また、内壁面１６の開口１５側の縁も、短冊状シートを飛び出しにくくするために折り曲げておくことが好ましい。
【００１９】
シート状物の材質や表面状態、あるいは巻取部１４の材質や内壁面１６の表面状態によっては、短冊状シートと内壁面１６とが滑りにくくなり、短冊状シートが緩やかに湾曲せず、短冊状シートをきれいに円く巻き取れないことがある。そのため、巻取部１４は中心軸１７を中心に回転できるように支持板１２に取り付けられていることが好ましい。巻取部１４が回転できるように取り付けられていれば、短冊状シートと内壁面１６とが滑りにくい場合でも、短冊状シートで内壁面１６を押しつけながら巻取部１４を回転させることができるので、短冊状シートをきれいに円く巻き取ることができる。そして、この短冊状シートが進んでいく力を、巻取部１４の回転する力にうまく変換できるようにする意味でも、巻取部１４の中心軸１７と切断方向Ｂとのなす角度（鋭角）は３０度以上であるのが好ましい。
【００２０】
巻取部１４を回転できるように取り付ける方法は特に限定されないが、図２のようにベアリングを備えた回転軸で巻取部１４を支える構造が例示できる。この図２の構造では、巻取部１４に、ベアリング２４Ａ，２４Ｂを具備したベアリングユニット２２が、ボルト２５によって取り付けられている。ベアリングユニット１６は巻取部支持体２１に固定された固定軸２６をベアリング２４ａ，２４ｂで受けている。巻取部支持体２１は支持板１２に固定されている。このようにして、巻取部支持体２１の内側で、巻取部１４が自由に回転できるような構造となっている。これ以外にも、固定軸２６を滑りの良い材料にすることで、ベアリングを使わない構造にすることもできる。
【００２１】
支持板１２や巻取部１４の材質は特に限定されず、いずれの樹脂や金属を使うこともできる。なかでも、軽さや剛性の点でアルミが好ましい。
【００２２】
短冊状シートが巻取部１４の中に入りやすくするために、巻取部１４の開口１５の近くに、短冊状シートを支持板１２から少し持ち上げるようにするガイド１３を設けることも好ましい。
【００２３】
切断刃１１ａ，１１ｂには、不意に指先が刃に触れて怪我などをしないようにするために、カバーを設けることも好ましい。
【００２４】
短冊状シートを切り出す対象となるシート状物は特に限定はされないが、ある程度厚みがあり硬さのあるシートの方が、端部から切断刃１１ａ，１１ｂを入れやすく、また巻き取りもし易いので好ましい。
【実施例】
【００２５】
切断刃の間隔Ｗが３８ｍｍ、巻取部の内径（直径）が８８ｍｍ、巻取部の内側の高さが４５ｍｍ、短冊状シートの切断方向と巻取部の中心軸とのなす角度θが５５度の短冊状シートの採取装置を準備した。この装置を使って、厚み１８８μｍのポリエステルフィルムから短冊状シートを切り出し、同時に巻取部内に短冊状シートを巻き取った。短冊状シートが途中で折れまがることもなく、長さ５ｍの短冊状シートをきれいに巻き取ることができた。
【符号の説明】
【００２６】
１：短冊状シートの採取装置
１１ａ、ｂ：切断刃
１２：支持板
１３：ガイド
１４：巻取部
１５：巻取部の開口
１６：巻取部の内壁面
１７：巻取部の中心軸
２１：巻取部支持体
２２：ベアリングユニット
２４ａ、ｂ：ベアリング
２５：ボルト
２６：固定軸
Ｂ：巻取部の回転方向
Ｃ：短冊状シートの切断方向
Ｄ：短冊状シートの搬送方向
【図１】
2013027950.tif 000003
【図２】
2013027950.tif 000004